(57)【特許請求の範囲】
【請求項１】
円形の断面形状を有する棒状体の外表面を被覆する被覆層を除去する被覆層除去装置であって、
前記棒状体の長手方向に沿った方向を回転軸として前記棒状体に対して相対回転するとともに前記回転軸の方向に当該棒状体に対して相対移動することにより、前記被覆層の外表面を含む部分を切削する切削部と、
前記回転軸の方向に当該棒状体に対して相対移動することにより、前記被覆層の残部を擦り取る擦り取り部と、
を有し、
前記切削部と、前記擦り取り部、とが一体となり、
前記切削部は、前記切削部の一方側端部から前記切削部の他方側端部に向かうに従って前記回転軸から離間するように延在する刃を備えており、
前記刃は、前記回転軸の周方向に間隔を置いて配置されており、
前記刃と前記刃との間に設けられた隙間の最深部は、前記被覆層除去工具の後方に向かうに従って径方向外側に向かって傾斜する傾斜面で形成されている、切削被覆層除去工具。
【請求項２】
前記擦り取り部は、前記回転軸の周方向に延在して前記回転軸に向かって突出した、突起である、請求項１に記載の被覆層除去装置。
【請求項３】
前記刃の一方側に前記擦り取り部が隣接して設けられる、請求項１または２に記載の被覆層除去装置。
【請求項４】
前記棒状体と前記切削部との相対移動、又は前記棒状体と前記擦り取り部との相対移動により、当該棒状体の一方側の先端と当接可能な当接部を有する、請求項１乃至３のいずれか１項に記載の被覆層除去装置。
【請求項５】
前記切削部は、前記棒状体が前記回転軸の一方側へ向かって当該回転軸の他方側から移動することで前記被覆層の外表面を含む前記部分を切削するものである、請求項１乃至４のいずれか１項に記載の被覆層除去装置。
【請求項６】
請求項１乃至５のいずれか１項に記載の被覆層除去装置を準備する工程と、
前記被覆層の外表面を含む部分を前記切削部によって切削する切削工程と、
前記被覆層の残部を前記擦り取り部によって擦り取る擦り取り工程、
とを備える、棒状体の形成方法。
【発明の詳細な説明】
【技術分野】
【０００１】
本発明は、被覆層除去装置、被覆層除去工具、及び、棒状体の形成方法に関する。
【背景技術】
【０００２】
樹脂管から当該樹脂管の外表面を含む部分を被覆層として除去することにより棒状体を形成するための装置には、樹脂管の長手方向に沿った方向を回転軸として当該樹脂管を回転させつつ、その軸直方向からカッターを移動させることにより、樹脂管の汚染された外表面部分を所定量だけ除去するものがある（例えば、特許文献１参照）。
【先行技術文献】
【特許文献】
【０００３】
【特許文献１】特開平１０−６１０１号公報
【発明の概要】
【発明が解決しようとする課題】
【０００４】
しかしながら、例えば、ポリオレフィン系樹脂の棒状体の外表面をオレフィン系エラストマ等で被覆した樹脂管から、切削のみによってオレフィン系エラストマ等の被覆層を除去しようとすると、切削時に発せられる熱によって棒状体が溶けて被覆層と融着してしまうことがある。このため、切削のみによる従来の技術では、被覆層を完全に除去して棒状体を形成することが困難であった。
【０００５】
本発明の目的は、被覆層を融着させることなく、棒状体から被覆層を除去することができる、被覆層除去装置、被覆層除去工具、及び、棒状体の形成方法を提供することである。
【課題を解決するための手段】
【０００６】
本発明に係る、被覆層除去装置は、円形の断面形状を有する棒状体の外表面を被覆する被覆層を除去する被覆層除去装置であって、前記棒状体の長手方向に沿った方向を回転軸として前記棒状体に対して相対回転するとともに前記回転軸の方向に当該棒状体に対して相対移動することにより、前記被覆層の外表面を含む部分を切削する切削部と、前記回転軸の方向に当該棒状体に対して相対移動することにより、前記被覆層の残部を擦り取る擦り取り部と、を有する、ことを特徴とする。
本発明に係る、被覆層除去装置によれば、被覆層を棒状体に融着させることなく、棒状体から被覆層を除去することができる。
【０００７】
本発明に係る、被覆層除去装置では、前記被覆層は、前記棒状体が前記回転軸の一方側へ向かって当該回転軸の他方側から移動することで前記切削部により切削され、前記切削部は、前記切削部の一方側端部から前記切削部の他方側端部に向かうに従って前記回転軸から離間するように延在する刃を備える、ことが好ましい。
この場合、被覆層を当該被覆層の外表面側から徐々に切削することができるため、より確実に被覆層を切削することが可能になる。
【０００８】
本発明に係る、被覆層除去装置では、前記刃は、前記回転軸の周方向に間隔を置いて配置することが好ましい。
この場合、刃と刃との間に隙間を形成することができ、その場合、当該隙間が被覆層の外表面を含む部分を切削するときに生じる切削くず等を逃がすことで、刃と刃との間の目詰まりが抑制される。
【０００９】
本発明に係る、被覆層除去装置では、前記擦り取り部は、前記回転軸の周方向に延在して前記回転軸に向かって突出した、突起であることが好ましい。
この場合、簡易な構成で、被覆層を融着させることなく、棒状体から被覆層を除去することができる。
【００１０】
本発明に係る、被覆層除去装置では、前記刃の一方側に前記擦り取り部が隣接して設けられることが好ましい。
この場合、簡易な構成で、切削時及び擦り取り時に芯ずれが起き難く、被覆層を均等な厚さで切削及び擦り取りを行うことが可能になる。
【００１１】
本発明に係る、被覆層除去装置では、前記棒状体と前記切削部との相対移動、又は前記棒状体と前記擦り取り部との相対移動により、当該棒状体の一方側の先端と当接可能な当接部を有することが好ましい。
この場合、棒状体を被覆層除去装置から抜き出して、棒状体の形成状況を確認することなく、被覆層を除去する長さを容易に設定することができる。
【００１２】
本発明に係る、被覆層除去工具は、上記のいずれかに記載の被覆層除去装置に配設され、前記切削部と、前記擦り取り部、とを一体に備える。
本発明に係る、被覆層除去工具によれば、回転軸方向における刃と擦り取り部の２箇所で棒状体が保持されることとなり、回転軸と棒状体の軸心とを一致させやすくすることができ、棒状体から被覆層を棒状体の周方向で均一に除去しやすくすることができる。
【００１３】
本発明に係る、棒状体の形成方法は、円形の断面形状を有する棒状体の外表面を被覆する被覆層の外表面を含む部分を切削する切削工程と、前記被覆層の残部を擦り取る擦り取り工程、とを備える。
本発明に係る、棒状体の形成方法によれば、被覆層を融着させることなく、棒状体から被覆層を除去することができる。
【発明の効果】
【００１４】
本発明によれば、被覆層を融着させることなく、棒状体から被覆層を除去することができる、被覆層除去装置、被覆層除去工具、及び、棒状体の形成方法を提供することができる。
【図面の簡単な説明】
【００１５】
【図１】本発明の一実施形態に係る被覆層除去装置を、複合管とともに示す断面図である。
【図２】（ａ）は、図１の本発明の一実施形態に係る被覆層除去装置に採用した、本発明の一実施形態に係る被覆層除去工具を示す正面図であり、（ｂ）は、（ａ）のＸ−Ｘ断面図である。
【図３】図２（ａ），（ｂ）の被覆層除去工具の切削部及び擦り取り部を拡大して示す斜視図である。
【図４】（ａ）は、図１の被覆層除去装置又は図２（ａ），（ｂ）に示す被覆層除去工具を用いて、本発明の一実施形態に係る棒状体の形成方法に従い、被覆層を除去するときに最初に行われる、切削工程の例を説明する断面図であり、（ｂ）は、（ａ）の切削工程に引き続いて行われる、擦り取り工程の例を説明する断面図である。
【発明を実施するための形態】
【００１６】
以下、図面を参照して、本発明の一実施形態に係る、被覆層除去装置、被覆層除去工具、及び、棒状体の形成方法を説明する。
【００１７】
図１中、符号１は、本発明の一実施形態に係る被覆層除去装置である。被覆層除去装置１は、後述するように、円形の断面形状を有する棒状体の外表面を被覆する被覆層を除去する。
【００１８】
本実施形態において、符号２は、本実施形態に係る被覆層除去装置を用いた被覆層除去の対象となる、合成樹脂製の複合管である。複合管２は、円形の断面形状を有する筒状の本管（棒状体）３と、本管３の外表面を被覆する筒状の被覆層４とを有している。本実施形態に係る本管３は、給排水管として用いることができ、また、被覆層４は、例えば、本管３の保護を目的に使用している。本実施形態では、複合管２は、被覆層４を本管３の中心線Ｏ３と同軸に配置することで形成されている。なお、本実施形態に係る本管３は、棒材等の、中実の部材とすることができる。また本実施形態では、被覆層４は単層であるが、複数の層からなる積層体として形成することもできる。
【００１９】
また、本実施形態では、複合管２は、本管３をポリオレフィン系樹脂で形成し、被覆層４をオレフィン系エラストマで形成している。この場合、本管３と被覆層４との密着が強いため、本管３と被覆層４との間には、接着層を介在させる必要がない。ただし、複合管２は、本管３や被覆層４の材質に応じて、本管３と被覆層４との間に接着層を介在させたものであってもよい。
【００２０】
次に、符号１０は、本発明の一実施形態に係る、被覆層除去装置に用いられる、本発明の一実施形態に係る、被覆層除去工具である。本実施形態では、被覆層除去工具１０は、フランジ付きの筒状体である。詳細には、被覆層除去工具１０は、筒体１１と、筒体１１と一体に設けられた固定板１２とを有し、その内側には、貫通穴１０Ａが形成されている。貫通穴１０Ａには、被覆層４が除去された後の本管３を貫通させることができる。
【００２１】
固定板１２には、駆動手段（例えば、モータ）に連結されている。本実施形態では、固定板１２は、図１に示すように、ボルト等の締結要素Ｃを用いて、駆動手段の入力要素２０に連結されている。駆動手段には、例えば、モータが挙げられる。これにより、被覆層除去工具１０は、駆動手段の回転により、被覆層除去工具１０の中心線（本実施形態では、貫通穴１０Ａの中心線と同軸）Ｏ１を回転軸として回転させることができる。
【００２２】
また、本実施形態では、駆動手段の入力要素２０は、筒状体であって、その内側に穴２０Ａを有している。穴２０Ａは、被覆層除去工具１０に形成された貫通穴１０Ａに通じ、本実施形態では、貫通穴１０Ａと同一の内径を有している。これにより、被覆層除去工具１０を通過して被覆層４が除去された本管３をさらに、被覆層除去装置１の内部のより深い位置まで挿入することができる。すなわち、本実施形態では、被覆層４をより長く、本管３から除去することができる。
【００２３】
更に、図１中、符号３０は、被覆層除去装置１に配置された、センタリング部材である。センタリング部材３０は、被覆層除去工具１０よりも手前の位置に、被覆層除去工具１０と間隔を置いて配置されている。またセンタリング部材３０は、複合管２を貫通させる貫通穴３０Ａを有している。貫通穴３０Ａは、複合管２をスライド可能に保持することができる。さらにセンタリング部材３０は、図１に示すように、複合管２をセンタリング部材３０の貫通穴３０Ａを通して被覆層除去工具１０の前方に突出させることにより、被覆層除去工具１０の中心線Ｏ１と本管３の中心線Ｏ３とを同軸に配置させることができる。これにより、本実施形態に係る被覆層除去装置１では、被覆層除去工具１０は、本管３の中心線Ｏ３と同軸の中心線Ｏ１を回転軸として本管３に対して相対回転することができるとともに、回転軸の方向（本実施形態では、本管３の中心線Ｏ３と同軸の中心線Ｏ１が延在する方向）に本管３に対して相対移動することができる。
【００２４】
さらに、符号４０は、複合管２を押し込んでいったときに本管３の先端３ａと接触可能な当接（接触）部である。本実施形態では、当接部４０は、駆動手段の入力要素２０に形成された穴２０Ａに配置されている。当接部４０は、被覆層除去工具１０を通って被覆層４が除去された本管３の先端３ａと当接することで、被覆層４を除去する長さを規定する。当接部３０は、駆動手段の入力要素２０に形成された穴２０Ａ内に被覆層除去工具１の中心線Ｏ１に沿った任意の位置に自由に位置決めできることが好ましい。
【００２５】
ここで、被覆層除去工具１０を更に詳細に説明する。符号Ａは、複合管２のうちの被覆層４の外表面を含む部分を切削する切削部である。本実施形態では、切削部Ａは、被覆層除去工具１０の筒体１１に設けられている。切削部Ａは、本管３の長手方向に沿った方向、即ち、本実施形態では、本管３の中心線Ｏ３と同軸の中心線Ｏ１を回転軸として本管３に対して相対回転するとともに前記回転軸の方向に本体３に対して相対移動することにより、被覆層４の外表面４ａを含む部分を切削することができる。
【００２６】
より詳細には、図２（ｂ）に示すように、切削部Ａは、筒体１１の内表面に形成された刃１３で構成されている。刃１３は、複合管２と被覆層除去工具１０とを、本管３の中心線Ｏ３と同軸の中心線Ｏ１を回転軸として相対回転させると共にその回転軸の一方側へ向かって当該回転軸の他方側から複合管２と被覆層除去工具１０とを相対移動させることで被覆層４の外表面４ａを含む部分を切削する。本実施形態では、被覆層除去工具１０が本管３の中心線Ｏ３と同軸の中心軸Ｏ１を回転軸として回転しながら、本管３がその中心軸Ｏ３の一方側（本実施形態では、刃１３の刃元１３ａ側）へ向かって中心軸Ｏ３の他方側（本実施形態では、刃１３の刃先１３ｂ側）から移動することで被覆層４の外表面４ａを含む部分を切削する。
【００２７】
刃１３は、刃１３の一方側端部（刃元１３ａ）から刃１３の他方側端部（刃先１３ｂ）に向かうに従って回転軸（本実施形態では、本管３の中心線Ｏ３と同軸の中心軸Ｏ１）から離間するように延在している。すなわち、図２（ｂ）に示すように、刃１３は、刃１３の刃元１３ａから刃先１３ｂに向かうに従って径方向（前記回転軸に対して軸直な方向）の外向きに傾斜している。これにより、刃１３は、刃元１３ａから刃先１３ｂまでで、複合管２の被覆層４の外表面４ａを含む部分を、被覆層４の外表面４ａから前記回転軸に向かって順次切削することができる。本実施形態のように、切削部Ａを刃１３で構成すれば、図２（ａ）に示すように、回転軸方向視の刃１３の投影長さ、すなわち、回転軸方向から視たときの刃１３の長さが長くなる。
【００２８】
刃１３は、回転軸（本実施形態では、被覆層除去工具１の中心線Ｏ１）を取り囲むように連続して形成した、環状の刃１３とすることも可能であるが、本実施形態では、図２（ａ）に示すように、複数の刃１３を、前記回転軸の周りに間隔を置いて配置することで構成している。なお、本実施形態では、切削部Ａは、１２個の刃１３で構成されているが、刃１３の個数に制限はない。すなわち、複数の刃１３の個数は、少なくとも１つ以上であればよい。
【００２９】
また、符号Ｂは、複合管２から被覆層４の残部を擦り取る擦り取り部である。擦り取り部Ｂは、被覆層除去工具１０の筒体１１に設けられている。擦り取り部Ｂは、本管３の長手方向に沿った方向、即ち、本実施形態では、本管３の中心線Ｏ３と同軸の中心線Ｏ１を回転軸として、当該回転軸の方向に本管３に対して相対移動することにより、本管３の外表面に残った被覆層４の残部を擦り取ることができる。
【００３０】
より詳細には、図２（ａ）に示すように、擦り取り部Ｂは、筒体１１の内表面に形成された突起１４で構成されている。突起１４は、本管３の長手方向に沿った方向、即ち、本実施形態では、本管３の中心線Ｏ３と同軸の中心線Ｏ１を回転軸として、この回転軸の周方向に延在して当該回転軸に向かって突出した突起である。本実施形態では、図２（ａ）の拡大図に示すように、突起１４は、その一部に、刃１３の刃元１３ａを含んでいる。本実施形態では、図２（ｂ）の回転軸方向断面視に示すように、刃１３は、刃先１３ｂから刃元１３ａに向かうに従って径方向内向きに傾斜するが、被覆層除去工具１０の貫通穴１０Ａは、刃１３の刃元１３ａから固定板１２側に向かうに従って径方向外向きに傾斜している。すなわち、突起１４は、前記回転軸の周方向に延在する領域のうち、刃１３の刃元１３ａを通り、前記回転軸に向かって径方向内向きに突出した環状の突起となる。
【００３１】
擦り取り部Ｂは、前記回転軸の周方向に連続して延在する、単一の環状の突起を、突起１４とすることができるが、本実施形態では、図２（ａ）の拡大図に示すように、前記回転軸の周方向に間隔を置いて配置した、複数の突起をそれぞれ、突起１４としている。具体的には、図１や図２（ｂ）に示すように、機械加工筒１１に形成された隙間Ｄの最深部１５を、刃１３の刃元１３ａよりも固定板１２側の位置に規定している。すなわち、本実施形態では、刃１３の間に形成される隙間Ｄの深さを刃１３の刃元１３ａよりも被覆層除去工具１０の後方（固定板１２側）に向かって深く確保することで、前記回転軸の周りに、間欠的に、当該回転軸の周方向に延在する、複数の突起を形成し、これらをそれぞれ、突起１４としている。これにより、本実施形態では、擦り取り部Ｂが複数の突起１４で構成されている。
【００３２】
ここで、本発明の一実施形態に係る被覆層除去装置１を用いて、複合管２から被覆層４を除去することで、本管３を形成する方法の一例を説明する。
【００３３】
使用者は先ず、被覆層４のうち、被覆層４の外表面４ａを含む部分を切削する切削工程を行う。本実施形態に係る本管３を形成する方法の切削工程では、被覆層除去工具１０が、本管３の長手方向に沿った方向、即ち、本実施形態では、切削部Ａが本管３の中心線Ｏ３と同軸の中心線Ｏ１を回転軸として本管３に対して相対回転するとともに当該回転軸の方向に本管３に対して相対移動することにより、被覆層４の外表面４ａを含む被覆層４の部分を切削する。
【００３４】
具体的には、使用者はまず、本管３の中心線Ｏ３が被覆層除去工具１０の中心線Ｏ１と同軸上に配置されるように、複合管２を被覆層除去工具１０に対して位置合わせする。より詳細には、図１に示すように、複合管２をセンタリング部材３０の貫通穴３０Ａに通すことで、本管３の中心線Ｏ３と被覆層除去工具１０の中心線Ｏ１とが同軸上に配置されるようにセッティングする。
【００３５】
次に、使用者は、駆動手段を用いて被覆層除去工具１０の中心線Ｏ１を回転軸として、被覆層除去工具１０を回転させながら、複合管２を被覆層除去工具１０に向かって押し込む（移動させる）。すると、図４（ａ）に示すように、本管３が被覆層除去工具１０に対してセンタリングされた状態で、刃１３を用いた被覆層４の外表面４ａを含む部分４ｐの切削が行われる。すなわち、複合管２を被覆層除去工具１０内に押し込むことで、複合管２の被覆層４を荒削りすることができる。
【００３６】
次いで、使用者は、本管３に付着した被覆層４の残部を擦り取る擦り取り工程を行う。本実施形態に係る擦り取り工程では、被覆層除去工具１０が本管３に対して前記回転軸の方向に相対移動することで、被覆層４の残部を擦り取る。
【００３７】
具体的には、切削工程に引き続いて、被覆層除去工具１０を回転させたまま、複合管２を被覆層除去工具１０に向かって更に押し込む。すると、図４（ｂ）に示すように、本管３が被覆層除去工具１０に対してセンタリングされた状態で、複数の突起１４を用いた被覆層４の残部の擦り取りが開始される。より詳細には、被覆層除去工具１０に設けられた複数の突起１４が被覆層除去工具１０の中心線Ｏ１を回転軸として回転しながら、本管３が前記回転軸の方向に移動することで、本管３の外周面に残った被覆層４の残部を擦り取ることができる。すなわち、複合管２を被覆層除去工具１０内に更に押し込むことで、本管３の外周面に残った被覆層４の残部を擦り取ることができる。
【００３８】
本実施形態に係る被覆層除去装置１では、切削部Ａを用いて、被覆層４を荒削りすることにより、切削時に発せられる熱が抑えられる。また、この場合、その後に残った被覆層４を擦り取り工程で擦り取るときも、擦り取り時に発せられる熱は低く抑えられる。すなわち、被覆層除去装置１によれば、被覆層４を除去するときに発せられる熱が、被覆層４を切削のみにより除去する場合に比べて抑えられる。このため、被覆層除去装置１によれば、被覆層４を切削のみにより除去する場合に比べて、本管３の溶融（ひいては、被覆層４の本管３への融着）を抑制することができる。
【００３９】
このように、本実施形態に係る被覆層除去装置１によれば、被覆層４を融着させることなく、本管３から被覆層４を除去することができる。
【００４０】
特に、本実施形態に係る被覆層除去装置１では、切削部Ａは、刃元１３ａから刃先１３ｂに向かうに従って回転軸から離間するように延在する、刃１３を備えている。この場合、被覆層４を当該被覆層４の外表面側から徐々に切削することができるため、より確実に被覆層４を切削することが可能になる。
【００４１】
また、本実施形態に係る被覆層除去装置１のように、切削部Ａの刃１３を、回転軸の周方向に間隔を置いて配置すれば、刃１３と刃１３との間に間隔を形成することができ、その場合、当該間隔によって形成された隙間Ｄが被覆層４の外表面４ａを含む部分を切削するときに生じる切削くず等を逃がすことで、刃１３と刃１３との間の目詰まりが抑制される。
【００４２】
また、本実施形態に係る被覆層除去装置１のように、隙間Ｄの最深部１５を深くすることで、刃１３と刃１３との間に設けられた隙間Ｄを大きく確保すれば、被覆層４の外表面４ａを含む部分を切削することや擦り取ることによって生じた切削くず等を、より多く効果的に逃がすことができる。特に、本実施形態に係る被覆層除去装置１では、隙間Ｄの最深部１５は、被覆層除去工具１０の後方に向かうに従って径方向外側に傾斜する傾斜面で形成している。これにより、切削くず等を、更に多く効果的に逃がすことができ、本管３と筒体１１の間に切削くず等が挟まることを抑制できる。
【００４３】
また、本実施形態に係る被覆層除去装置１のように、擦り取り部Ｂを、回転軸の周方向に延在して回転軸に向かって突出した突起１４とすれば、簡易な構成で、被覆層４を融着させることなく、本管３から被覆層４を除去することができる。特に、本実施形態に係る被覆層除去装置１のように、擦り取り部Ｂを、複数の突起１４とすれば、本管３又は被覆層４の残部と擦り取り部Ｂとの接触面積を抑制しつつ、被覆層４の残部を擦り取れることで、擦り取り時に発せられる熱を、より抑えることができる。
【００４４】
また、本実施形態に係る被覆層除去装置１のように、切削部Ａの刃１３の刃元１３ａに擦り取り部Ｂを隣接して設ければ、複合管２が切削時及び擦り取り時に擦り取り部Ｂ、すなわち、複数の突起１４によって保持されるため、簡易な構成で、切削時及び擦り取り時に芯ずれが起き難く、被覆層４を均等な厚さで切削及び擦り取りを行うことが可能になる。このため、被覆層４を融着させることなく、本管３から被覆層４をより確実に除去することができる。
【００４５】
また、本実施形態に係る被覆層除去装置１のように、本管３と切削部Ａとの相対移動、又は、本管３と擦り取り部Ｂとの相対移動、本実施形態では、本管３と切削部Ａ及び擦り取り部Ｂとの相対移動により、本管３の先端３ａと当接可能な当接部４０を設ければ、複合管２（本管３）を被覆層除去装置１から抜き出して、本管３の形成状況を確認することなく、被覆層４を除去する長さを容易に設定することができる。なお、ここで、「本管３と切削部Ａとの相対移動、又は、本管３と擦り取り部Ｂとの相対移動」とは、本実施形態の場合は勿論、切削部Ａと擦り取り部Ｂとを別体の工具として動作させた場合、複合管２を回転させ、若しくは、複合管２及び被覆層除去工具１０を互いに回転させる場合、又は、これらを組み合わせた場合等を含むことを意味する。
【００４６】
また、本実施形態に係る被覆層除去工具１０は、切削部Ａと、擦り取り部Ｂと、を一体に備えている。本実施形態に係る被覆層除去工具１０によれば、被覆層除去装置１の中心線Ｏ１方向における刃１３と擦り取り部Ｂの２箇所で本管３が保持されることとなり、被覆層除去装置１の中心線Ｏ１と本管３の中心線Ｏ３とを一致させやすくすることができ、本管３から被覆層４を本管３の周方向で均一に除去しやすくすることができる。しかも、この場合、モータ等の動力源以外にも、既存の電動ドリルや電動ドライバー等の電動工具を駆動手段として採用することで、被覆層除去装置を構成することができる。
【００４７】
特に、本実施形態に係る被覆層除去工具１０では、図２（ａ），（ｂ）に示すように、機械加工筒１１は、被その内外周面が前方（複合管２が挿入される側（図２（ｂ）の右側））に向かって先細りする円筒形を有している。この場合、本管３を被覆層除去工具１０内に挿入するに従って本管３から機械加工筒１１の外周面は被覆層除去工具１０の中心線Ｏ１から径方向外側に離間していくので、例えば、切削工程の際に、本管３から被覆層４を容易に除去することができる。但し、機械加工筒１１は、本実施形態のように、機械加工筒１１の外周にテーパーを付けたものに限定されることなく、例えば、機械加工筒１１の外周を同径としたストレートのものでもよい。また、固定板１２は、円形のディスクとして形成されているが、固定板１２の具体的な形状は、適宜選択をすることができる。なお、符号１０ａは、締結要素Ｃを貫通又は固定させるための締結用穴である。
【００４８】
また、本実施形態に係る本管３の形成方法は、例えば、本実施形態に係る被覆層除去装置１を用いて、或いは、本実施形態に係る被覆層除去工具１０を採用した、他の被覆層除去装置を用いて、実行することができる。そして、上述した切削工程及び擦り取り工程によれば、被覆層４が融着することなく、被覆層４が除去された本管３を形成することができる。
【００４９】
上述したところは、本発明のいくつかの実施形態を開示したにすぎず、特許請求の範囲に従えば、様々な変更が可能となる。例えば、被覆層除去工具１０を駆動手段の入力要素２０に取り付ける手段は、本実施形態のような締結要素Ｃを用いたものに限定されることなく、様々な手段を用いることで、被覆層除去工具１０を駆動手段に連結することができる。また、本発明の他の実施形態に係る被覆層除去装置によれば、センタリング部材３０を省略することができる。本発明の更に他の実施形態に係る被覆層除去装置によれば、本実施形態に係る被覆層除去工具１０に代えて、切削部及び擦り取り部をそれぞれ、別の工具とすることで構成することができる。
【００５０】
更に、本発明に係る、棒状体の形成方法は、本実施形態のように、切削部Ａ及び擦り取り部Ｂを一体に備える被覆層除去工具１０を用いることで、切削工程及び擦り取り工程をそれぞれ、連続する一連の工程として行うことが好ましいが、切削部Ａと擦り取り部Ｂとをそれぞれ、別体の工具で構成することで、切削工程及び擦り取り工程の２つの工程が間断なく連続する一連の工程ではなく、２つの工程の間にインターバルが入った非連続的な工程とすることもできる。また、本発明に係る、被覆層除去装置、被覆層除去工具、及び、棒状体の形成方法の適用範囲は、棒状体の外表面を含む部分から被覆層を除去する場合は勿論、棒状体そのものからその外表面の一部を被覆層として除去する場合も含まれる。
【産業上の利用可能性】
【００５１】
本発明は、円形の断面形状を有する棒状体の外表面を被覆する被覆層を除去するための、被覆層除去装置、この被覆層除去装置に用いられる被覆層除去工具、及び、被覆層を除去して棒状体を形成するための棒状体の形成方法であれば、様々な装置、工具及び形成方法として適用することができる。
【符号の説明】
【００５２】
１；被覆層除去装置，  ２；複合管，  ３；本管（棒状体），  ３ａ；本管の先端，  ４；被覆層，  １０；被覆層除去工具，  １０Ａ；貫通穴，  １１；筒体，  １２；固定板，  １３；刃（切削部），  １３ａ；刃元（切削部の後端），  １３ｂ；刃先（切削部の先端），  １４；突起（擦り取り部），  ２０；駆動手段の入力要素，  ３０；センタリング部材，  ３０Ａ；貫通穴，  ４０；当接部，  Ａ；切削部，  Ｂ；擦り取り部，  Ｄ；隙間，  Ｏ１；被覆層除去工具の中心線（回転軸），  Ｏ３；本管の中心線（回転軸）
【図１】
0006595291.tif 000002
【図２】
0006595291.tif 000003
【図３】
0006595291.tif 000004
【図４】
0006595291.tif 000005